(57)【要約】【課題】ケーシングチャック機構を回転機構と分離して設けるとともに、ワイヤの緊張という簡便な方法によってケーシングチャック部材をケーシングに圧着させられるケーシングチャック機構を提供する。【解決手段】中心部にケーシングの挿通孔を有する上下２枚の円板と、円板間に放射状に挟設された断面方形の複数の筒状体と、それぞれ筒状体に摺動可能に挿通され、先端にケーシングの外側面に圧着させるするチャック板を備えた筒状の移動桿体と、移動桿体の後端部に軸支されたローラと、ローラのすべてにかけ渡され、一点でクロスして機構外に導かれ、一端は支点に固定され他端は牽引装置に接続されるワイヤとで構成され、ワイヤの牽引、弛緩によって移動桿体を前記筒状体内壁に沿って摺動させてチャック板をケーシングに圧着、離脱可能に前記ワイヤに沿っての回転を可能にした。【選択図】  図１
2014051837.tif 000002
【特許請求の範囲】
【請求項１】
杭打機やオーガーなどの建設機器におけるケーシング回転駆動装置の回転体に装着して用いられるケーシングチャック機構であって、
中心部にケーシングの挿通孔を有する上下２枚の円板と、
前記２枚の円板間に放射状に挟設された複数個の筒状体と、
前記複数の筒状体それぞれに摺動可能に挿通され、先端にケーシングの外側面に当接するチャック板を備えた筒状の移動桿体と、
前記筒状の移動桿体の後端部の上下２面のみ延伸されたその上下２面に軸支されたローラーと、
前記ローラのすべてにかけ渡され、一点でクロスして機構外に導かれ、一端は支点に固定され他端は牽引装置に接続されるワイヤとで構成され、
前記ワイヤの牽引、弛緩によって前記移動桿体を前記筒状体内壁に沿って前記ワイヤに対して直角方向に摺動させて前記チャック板をケーシングに当接、離脱可能にするとともに、前記ローラによって、ケーシングを把持した前記回転体のワイヤに沿っての回転を可能にしてなることを特徴とするケーシングチャック機構。
【請求項２】
前記筒状体、及び前記移動桿がが、断面方形であることを特徴とする請求項１に記載のケーシングチャック機構。
【請求項３】
前記チャック機構が、前記方形筒型の移動桿体の後端に軸支されたローラへのワイヤの接触面積を減じてローラのワイヤに沿っての回転が円滑になるよう隣り合う前記筒状体間に前記上下の円板に軸支させた補助ローラを装着してなることを特徴とする請求項１又は２に記載のケーシングチャック機構。
【請求項４】
前記ワイヤが、張力によって延び縮みしない耐張力性を有するものであって、中心で折り返し、折り返し部分を前記支点に固定し、折り返されて２本となったワイヤを前記ローラ及び補助ローラにかけ渡した後、折り返された２本のワイヤの間を通して交叉させ、端部を前記牽引装置に接続して、ワイヤーの交叉部の磨耗を避け、長期にわたって安全確実にケーシングのチャックを可能にしてなることを特徴とする請求項１〜３のいずれか１項に記載のケーシングチャック機構。
【請求項５】
上下２枚の円板のいずれか１枚に、前記ケーシング回転駆動装置に装着するためのフランジ等の取付手段を設けてなることを特徴とする請求項１〜４のいずれか１項に記載のケーシングチャック機構。
【発明の詳細な説明】
【技術分野】
【０００１】
杭打機やオーガーなどの建設機器におけるケーシング回転駆動装置の回転体に装着して用いられるケーシングチャック機構に関する。
【背景技術】
【０００２】
ケーシング回転駆動装置のケーシングチャック機構として、特許文献１には、
「ケーシング挿通孔を有する回転体と、該回転体を回転可能に設けたフレームと、ケーシングのチャック機構とを備え、ベースマシンに立設したリーダに沿って昇降する杭打ち機のケーシング回転駆動装置において、前記ケーシング挿通孔を下方（又は上方）に向かって収束するテーパー面に形成した回転体を有するフレームに設けたチャックシリンダにて、該フレームの上方（又は下方）にチャック支持フレームを昇降可能に支持し、チャック支持フレームにケーシング挿通孔を有する回転チャックフレームを回転可能に設け、回転チャックフレームに複数本の楔状のチャック部材を設け、該チャック部材に、前記回転体のテーパ面を摺動する下方（又は上方）に向かって収束するテーパー面を形成した」
杭打機の回転駆動装置が開示されている。
【先行技術文献】
【特許文献】
【０００３】
【特許文献１】特開２００１−２１４４４２号公報
【発明の概要】
【発明が解決しようとする課題】
【０００４】
しかし、上記構造のケーシング回転駆動装置においては、ケーシングチャック部材をケーシングに圧着させる機構が複雑で、しかも回転駆動装置内に組み込まれているので装置が大型化し、保守点検が容易でなく、装置自体が高価なものとなっていた。
本発明は、上記課題に鑑み、ケーシングチャック機構を回転機構と分離して設けるとともに、ワイヤの緊張という簡便な方法によってケーシングチャック部材をケーシングに圧着させられるケーシングチャック機構を提供するものである。
【課題を解決するための手段】
【０００５】
本発明者は上記課題を下記の手段によって解決した。
（１）杭打機やオーガーなどの建設機器におけるケーシング回転駆動装置の回転体に装着して用いられるケーシングチャック機構であって、
中心部にケーシングの挿通孔を有する上下２枚の円板と、
前記２枚の円板間に放射状に挟設された複数個の筒状体と、
前記複数の筒状体それぞれに摺動可能に挿通され、先端にケーシングの外側面に当接するチャック板を備えた筒状の移動桿体と、
前記筒状の移動桿体の後端部の上下２面のみ延伸されたその上下２面に軸支されたローラーと、
前記ローラのすべてにかけ渡され、一点でクロスして機構外に導かれ、一端は支点に固定され他端は牽引装置に接続されるワイヤとで構成され、
前記ワイヤの牽引、弛緩によって前記移動桿体を前記筒状体内壁に沿って前記ワイヤに対して直角方向に摺動させて前記チャック板をケーシングに当接、離脱可能にするとともに、前記ローラによって、ケーシングを把持した前記回転体のワイヤに沿っての回転を可能にしてなることを特徴とするケーシングチャック機構。
（２）前記筒状体、及び前記移動桿がが、断面方形であることを特徴とする前項（１）に記載のケーシングチャック機構。
（３）前記チャック機構が、前記方形筒型の移動桿体の後端に軸支されたローラへのワイヤの接触面積を減じてローラのワイヤに沿っての回転が円滑になるよう隣り合う前記筒状体間に前記上下の円板に軸支させた補助ローラを装着してなることを特徴とする前項（１）又は（２）に記載のケーシングチャック機構。
（４）前記ワイヤが、張力によって延び縮みしない耐張力性を有するものであって、中心で折り返し、折り返し部分を前記支点に固定し、折り返されて２本となったワイヤを前記ローラ及び補助ローラにかけ渡した後、折り返された２本のワイヤの間を通して交叉させ、端部を前記牽引装置に接続して、ワイヤーの交叉部の磨耗を避け、長期にわたって安全確実にケーシングのチャックを可能にしてなることを特徴とする前項（１）〜（３）のいずれか１項に記載のケーシングチャック機構。
（５）上下２枚の円板のいずれか１枚に、前記ケーシング回転駆動装置に装着するためのフランジ等の取付手段を設けてなることを特徴とする前項（１）〜（４）のいずれか１項に記載のケーシングチャック機構。
【発明の効果】
【０００６】
本発明のケーシングチャック機構により、下記の効果が発揮できる。
〈１〉杭打機やオーガーなどの建設機器におけるケーシング回転駆動装置に装着して用いられる本発明のケーシングチャック機構が、
中心部にケーシングの挿通孔を有する上下２枚の円板と、
前記２枚の円板間に放射状に挟設された断面方形の複数個の筒状体と、
前記複数の筒状体それぞれに摺動可能に挿通され、先端にケーシングの外側面に当接するチャック板を備えた断面方形で筒状の移動桿体と、
前記筒状の移動桿体の後端部の上下２面のみ延伸されたその上下２面に軸支されたローラーと、
前記ローラのすべてにかけ渡され、一点でクロスして機構外に導かれ、一端が支点に固定され他端が牽引装置に接続されるワイヤとで構成され、
前記ワイヤの牽引、弛緩によって前記移動桿体を前記筒状体内壁に沿って摺動させて前記チャック板をケーシングに当接、離脱可能にするとともに、前記ローラによってケーシングを把持した回転体のワイヤに沿っての回転を可能にしているので、
構造が簡易で保守点検の容易なケーシングチャック機構が、安価に実現できる。
〈２〉前記チャック機構が、前記方形筒型の移動桿体の後端に軸支されたローラへのワイヤの接触面積を減じてローラのワイヤに沿っての回転が円滑になるよう隣り合う筒状体間に前記上下の円板に軸支させた補助ローラを装着しているので、ケーシングチャック機構がケーシングを把持した状態で前記ワイヤに沿って滑らかに回転し、作業効率の向上に資する。
〈３〉前記ワイヤが、張力によって延び縮みしない耐張力性を有するものであって、中心で折り返し、折り返し部分を前記支点に固定し、折り返されて２本となったワイヤを前記ローラ及び補助ローラにかけ渡した後、折り返された２本のワイヤの間を通して交叉させ、端部を前記牽引装置に接続しているので、交叉部の磨耗を避けられ、長期にわたってケーシングの把持が安全確実に行え、作業効率の向上と作業の安全性確保が図れ、またワイヤ交換期間の長期化によって、施工経費の低減にもつながる。
〈４〉上下２枚の円板のいずれか１枚に、前記ケーシング回転駆動装置の回転体に装着するためのフランジ等の取付手段を設けているので、各種回転駆動装置の回転体に本ケーシングチャック機構を装着して使用できる。
【図面の簡単な説明】
【０００７】
【図１】本発明のケーシングチャック機構の構造説明図
【図２】本発明のケーシングチャック機構を装着した回転駆動装置の実施例の断面図
【発明を実施するための形態】
【０００８】
本発明のケーシングチャック機構の実施の形態を、実施例の図に基づいて説明する。
図１は本発明のケーシングチャック機構の構造説明図、図２は本発明のケーシングチャック機構を装着した回転駆動装置の実施例の断面図である。
図において１はケーシングチャック機構、２、２’は中心にケーシング挿通孔を有する円板、３は断面方形の筒状体、４は移動桿体、５はチャック板、６はローラ、７は補助ローラ、８はワイヤ、１０は牽引装置、１１は支点。１２はケーシングを示す。
【０００９】
本発明のケーシングチャック機構１は、図１に示すように、中心部にケーシングの挿通孔を有する上下２枚の円板２、２’と、前記２枚の円板２、２’間に放射状に挟設された断面方形の複数個の筒状体３と、前記複数の筒状体３それぞれに摺動可能に挿通され、先端にケーシングの外側面に当接するチャック板５を備えた断面方形で筒状の移動桿体４と、前記筒状の移動桿体４の後端部の上下２面のみ延伸されたその上下２面に軸支されたローラ６と、隣り合う前記筒状体３と筒状体３と間に前記上下の円板に軸支させた補助ローラ７と、前記ローラ６及び補助ローラ７のすべてにかけ渡され、一点でクロスして機構外に導かれ、一端が回転駆動装置の基盤等に設けられたの支点１１に固定され他端が牽引装置１０に接続されるワイヤ７とで構成されている。
そして、上下２枚の円板２，２’のいずれか１枚（図１においては２’）に、前記ケーシング回転駆動装置の回転体１２（図２参照）に装着するためのフランジ等の取付手段を設けている。
さらに、前記ワイヤ８は、張力によって延び縮みしない耐張力性を有するものであって、図１の（ｂ）に示したように、中心で折り返し、折り返し部分を前記支点１１に固定し、折り返されて２本となったワイヤを前記ローラ及び補助ローラにかけ渡した後、折り返された２本のワイヤの間を通して交叉させ、端部を前記牽引装置１０に接続して、交叉部の磨耗を極力避けられるようにしておくことが好ましい。
【００１０】
本発明のケーシングチャック機構１は、図２に示すように、回転駆動装置の回転体１２にフランジ等の取付手段によって取り付けて使用する。
回転駆動装置の回転体１２に取り付けられたケーシングチャック機構１の操作は次の手順で行う。
ａ．牽引装置１０のの張力を弱めてワイヤ８ゆるめ、前記移動桿体４とその先端に設けたチャック板５を後退させ、ケーシングチャック機構１にケーシング２０を挿入できる余地を作る。
ｂ．上下２枚の円板２，２’のケーシング挿通孔にケーシング２０を任意の長さ挿入して前記回転装置を静止させた後、前記牽引装置１０を駆動してワイヤ８を引っ張り、前記移動桿体４を断面方形の筒状体３の内壁に沿って前進させ、移動桿体４の先端のチャック板５をケーシング２０の外側面に圧着させる。
ｃ．回転駆動装置を駆動して回転体１２を回転すると、回転体１２に取り付けられたケーシングチャック機構１とケーシングチャック機構１によって把持されたケーシング２０が回転して、杭打機であればケーシング２０は順次地中に打ち込まれていく。
ｄ．１回分の打ち込みが終わると、前記牽引装置１０のの張力を弱めてワイヤ８をゆるめ、前記移動桿体４とその先端に設けたチャック板５を後退させて、ケーシング２０への圧着を解除し，回転駆動装置ともどもケーシング２０の上方に移動した後、前記ｂ、ｃの操作を繰り返す。
なお、複数のケーシング２０を接続して打ち込む場合には、ケーシングを回転駆動装置をケーシング２０の上方に移動する前に行うことはいうまでもない。
【符号の説明】
【００１１】
１：ケーシングチャック機構
２：中心にケーシング挿通孔を有する円板
３：断面方形の筒状体
４：移動桿体
５：チャック板
６：ローラ
７：補助ローラ
８：ワイヤ
１０：牽引装置
１１：支点
１２：回転体
２０：ケーシング
【図１】
2014051837.tif 000003
【図２】
2014051837.tif 000004